(57)【要約】【課題】楽曲データの記録先を適切に管理することのできる記録再生システムを提供することである。【解決手段】パソコン３は、チェックアウト対象の楽曲データを記録再生装置１に転送する。記録再生装置１は、パソコン３から転送された楽曲データをディスクｄに書き込むと、そのディスクｄを識別するディスク情報を取得し、パソコン３に送信する。パソコン３は、ディスク情報を受信すると、楽曲データとそれを記録したディスクｄとの関係を対応付ける管理テーブルを生成し、ハードディスク等に格納する。そして、パソコン３は、この管理テーブルに従って、チェックイン対象となる楽曲データの記録先のディスク情報をディスプレイ等に表示する。そして、記録再生装置１から楽曲データがチェックインされると、パソコン３は、管理情報を更新する。【選択図】  図１
2004199792.tif 000002
【特許請求の範囲】
【請求項１】
記録対象の楽曲データを着脱自在の記録媒体に書き込む書き込み手段と、
前記書き込み手段が書き込んだ楽曲データを特定する楽曲特定情報と、前記書き込み手段により書き込まれた記録媒体を識別する媒体識別情報とに従って、楽曲データと記録媒体との関係を対応付ける管理テーブルを生成するテーブル生成手段と、
前記テーブル生成手段が生成した管理テーブルを記憶するテーブル記憶手段と、
前記テーブル記憶手段が記憶する管理テーブルの内容を表示する表示手段と、
を備えることを特徴とする記録再生システム。
【請求項２】
前記書き込み手段により書き込まれた記録媒体から、楽曲データを消去する消去手段と、
前記消去手段が消去した楽曲データの楽曲特定情報と、前記消去手段により楽曲データが消去された記録媒体の媒体識別情報とに従って、前記テーブル記憶手段に記憶された管理テーブルを更新するテーブル更新手段と、を更に備える、
ことを特徴とする請求項１に記載の記録再生システム。
【請求項３】
コントロール機器と記録再生装置とが所定のインタフェースを介して接続され、コントロール機器から送られる楽曲データを、記録再生装置にて着脱自在の記録媒体に記録する記録再生システムであって、
前記記録再生装置は、
前記コントロール機器から転送された楽曲データを記録媒体に書き込む書き込み手段と、
前記書き込み手段により書き込まれた記録媒体を識別する媒体識別情報を、前記コントロール機器に送信する送信手段と、を備え、
前記コントロール機器は、
記録対象の楽曲データを前記記録再生装置に転送する転送手段と、
前記転送手段が転送した楽曲データを特定する楽曲特定情報を取得する取得手段と、
前記記録再生装置から前記送信手段により送られた媒体識別情報を受信する受信手段と、
前記取得手段が取得した楽曲特定情報と、前記受信手段が受信した媒体識別情報とに従って、楽曲データと記録媒体との関係を対応付ける管理テーブルを生成するテーブル生成手段と、
前記テーブル生成手段が生成した管理テーブルを記憶するテーブル記憶手段と、
前記テーブル記憶手段が記憶する管理テーブルの内容を表示する表示手段と、を備える、
ことを特徴とする記録再生システム。
【請求項４】
前記記録再生装置は、
前記コントロール機器からの指示に従って、前記書き込み手段により楽曲データが書き込まれた記録媒体から、楽曲データを消去する消去手段を更に備え、
前記コントロール機器は、
楽曲データの消去を前記記録再生装置に指示する指示手段と、
前記指示手段が消去を指示した楽曲データの楽曲特定情報と、前記消去手段により楽曲データが消去された記録媒体の媒体識別情報とに従って、前記テーブル記憶手段に記憶された管理テーブルを更新するテーブル更新手段と、を更に備える、
ことを特徴とする請求項３に記載の記録再生システム。
【請求項５】
着脱自在の記録媒体に楽曲データを記録する記録再生装置と所定のインタフェースを介して接続されるコントロール機器であって、
記録対象の楽曲データを前記記録再生装置に転送する転送手段と、
前記転送手段が転送した楽曲データを特定する楽曲特定情報を取得する取得手段と、
楽曲データが書き込まれた記録媒体を識別する媒体識別情報を、前記記録再生装置から受信する受信手段と、
前記取得手段が取得した楽曲特定情報と、前記受信手段が受信した媒体識別情報とに従って、楽曲データと記録媒体との関係を対応付ける管理テーブルを生成するテーブル生成手段と、
前記テーブル生成手段が生成した管理テーブルを記憶するテーブル記憶手段と、
前記テーブル記憶手段が記憶する管理テーブルの内容を表示する表示手段と、
を備えることを特徴とするコントロール機器。
【請求項６】
楽曲データの消去を前記記録再生装置に指示する指示手段と、
前記指示手段が消去を指示した楽曲データの楽曲特定情報と、前記記録再生装置にて楽曲データが消去された記録媒体の媒体識別情報とに従って、前記テーブル記憶手段に記憶された管理テーブルを更新するテーブル更新手段と、を更に備える、
ことを特徴とする請求項５に記載のコントロール機器。
【請求項７】
着脱自在の記録媒体に楽曲データを記録する記録再生装置と所定のインタフェースを介して接続されるコントロール機器における管理方法であって、
記録対象の楽曲データを記録再生装置に転送する転送ステップと、
前記転送ステップにて転送した楽曲データを特定する楽曲特定情報を取得する取得ステップと、
楽曲データが書き込まれた記録媒体を識別する媒体識別情報を、記録再生装置から受信する受信ステップと、
前記取得ステップにて取得した楽曲特定情報と、前記受信ステップにて受信した媒体識別情報とに従って、楽曲データと記録媒体との関係を対応付ける管理テーブルを生成するテーブル生成ステップと、
前記テーブル生成ステップにて生成された管理テーブルを所定の記憶部に格納するテーブル格納ステップと、
前記テーブル格納ステップにて記憶部に格納された管理テーブルの内容を、所定の表示部に表示する表示ステップと、
を備えることを特徴とする管理方法。
【請求項８】
楽曲データの消去を記録再生装置に指示する指示ステップと、
前記指示ステップにて消去を指示した楽曲データの楽曲特定情報と、記録再生装置にて消去された記録媒体の媒体識別情報とに従って、前記テーブル格納ステップにて格納された管理テーブルを更新するテーブル更新ステップと、を更に備える、
ことを特徴とする請求項７に記載の管理方法。
【発明の詳細な説明】
【０００１】
【発明の属する技術分野】
この発明は、記録再生システム、コントロール機器および管理方法に関する。
【０００２】
【従来の技術】
従来より、楽曲データを記録媒体に記録し、そして、記録した楽曲データを再生できる記録再生装置が広く普及している。一例として、ＭＤ（ミニディスク）を記録媒体とするＭＤ記録再生装置は、音楽ＣＤ（コンパクトディスク）から再生される楽曲データを、市販の記録用ＭＤに記録することができる（例えば、特許文献１参照）。
【０００３】
【特許文献１】
特開２００２−９３０４６号公報  （第４−６頁、第１図）
【０００４】
最近では、パーソナルコンピュータ（パソコン）と接続するための「ＮｅｔＭＤ（登録商標）」規格に対応したＭＤ記録再生機器も徐々に普及して来ている。このＮｅｔＭＤ規格は、音楽ＭＤにおける拡張規格であり、パソコンのハードディスク上に格納された楽曲データをＭＤ記録再生機器に転送し、記録用ＭＤに記録するものである。その際、デコード前の状態の楽曲データがそのまま転送されるため、デコード／エンコード等に伴う音質劣化が防止される。また、再生に伴う録音（記録）と異なり、実質的なデータ転送であるため、通常録音時と比べて数倍〜数十倍の速さで記録が終了する。
【０００５】
更に、ＮｅｔＭＤ規格は、強固な著作権保護技術もその特徴として挙げられ、無秩序な楽曲データの拡散を防止している。具体的には、チェックアウト・チェックイン機能によって、著作権保護の実効が図られている。
ここで、チェックアウトとは、楽曲データをパソコンからＭＤ記録再生機器に転送（記録用ＭＤにコピー）することを言う。
一方、チェックインとは、チェックアウトによってＭＤ記録再生機器に転送され記録された楽曲データ（実際には、コンテンツハッシュ）を、パソコン（転送元のパソコン）に戻すことにより、ＭＤ記録再生機器にてその楽曲データを使用不能とさせることを言う。
そして、パソコンは、チェックアウトの制限回数（初期値として、例えば、３回）を各楽曲データに規定し、適切に管理している。つまり、パソコンは、各楽曲データをチェックアウトする度に、この制限回数をそれぞれ１ずつ減らし、制限回数を超える楽曲データのチェックアウトを禁止している。なお、パソコンがチェックイン時に制限回数を１ずつ増やすため、チェックアウト後のチェックインが適切に行われることを条件に、利用者は、パソコンとＭＤ記録再生機器との間で楽曲データを自由に移動させることができる。
【０００６】
【発明が解決しようとする課題】
上述したように、ＮｅｔＭＤ規格（チェックアウト・チェックイン機能）により、楽曲データが保護されることになるが、利用者にとっては、チェックアウトしたＭＤを把握するのが容易ではない場合が多い。つまり、パソコンでは、格納した楽曲データの制限回数等の管理が行われるだけであり、楽曲データの実際のチェックアウト先は、利用者が覚えておく必要がある。
そのため、複数のＭＤを所有する利用者は、楽曲データのチェックアウト先を忘れてしまったり、間違って記憶している場合も多い。更に、同じＭＤ内に、通常に録音（記録）された楽曲データと、チェックアウトされた楽曲データとを混在させることができるため、利用者は余計に混乱してしまう。
【０００７】
そして、チェックアウトしようとする楽曲データが制限回数を使い切っている場合には、一端、チェックアウトしたＭＤからその楽曲データをチェックインさせなければならない。
その際、チェックアウトしたＭＤを把握できていないと、利用者は、目的のＭＤを探し出すために、複数のＭＤから記録された楽曲データの内容を繰り返し確認する必要があり、極めて煩雑であった。
【０００８】
この発明は、上記実状に鑑みてなされたもので、楽曲データの記録先を適切に管理することのできる記録再生システム、コントロール機器および管理方法を提供することを目的とする。
【０００９】
【課題を解決するための手段】
上記目的を達成するため、本発明の第１の観点に係る記録再生システムは、
記録対象の楽曲データを着脱自在の記録媒体に書き込む書き込み手段と、
前記書き込み手段が書き込んだ楽曲データを特定する楽曲特定情報と、前記書き込み手段により書き込まれた記録媒体を識別する媒体識別情報とに従って、楽曲データと記録媒体との関係を対応付ける管理テーブルを生成するテーブル生成手段と、
前記テーブル生成手段が生成した管理テーブルを記憶するテーブル記憶手段と、
前記テーブル記憶手段が記憶する管理テーブルの内容を表示する表示手段と、
を備えることを特徴とする。
【００１０】
上記の記録再生システムは、前記書き込み手段により書き込まれた記録媒体から、楽曲データを消去する消去手段と、
前記消去手段が消去した楽曲データの楽曲特定情報と、前記消去手段により楽曲データが消去された記録媒体の媒体識別情報とに従って、前記テーブル記憶手段に記憶された管理テーブルを更新するテーブル更新手段と、を更に備えてもよい。
【００１１】
上記目的を達成するため、本発明の第２の観点に係る記録再生システムは、
コントロール機器と記録再生装置とが所定のインタフェースを介して接続され、コントロール機器から送られる楽曲データを、記録再生装置にて着脱自在の記録媒体に記録する記録再生システムであって、
前記記録再生装置は、
前記コントロール機器から転送された楽曲データを記録媒体に書き込む書き込み手段と、
前記書き込み手段により書き込まれた記録媒体を識別する媒体識別情報を、前記コントロール機器に送信する送信手段と、を備え、
前記コントロール機器は、
記録対象の楽曲データを前記記録再生装置に転送する転送手段と、
前記転送手段が転送した楽曲データを特定する楽曲特定情報を取得する取得手段と、
前記記録再生装置から前記送信手段により送られた媒体識別情報を受信する受信手段と、
前記取得手段が取得した楽曲特定情報と、前記受信手段が受信した媒体識別情報とに従って、楽曲データと記録媒体との関係を対応付ける管理テーブルを生成するテーブル生成手段と、
前記テーブル生成手段が生成した管理テーブルを記憶するテーブル記憶手段と、
前記テーブル記憶手段が記憶する管理テーブルの内容を表示する表示手段と、を備える、
ことを特徴とする。
【００１２】
前記記録再生装置は、
前記コントロール機器からの指示に従って、前記書き込み手段により楽曲データが書き込まれた記録媒体から、楽曲データを消去する消去手段を更に備え、
前記コントロール機器は、
楽曲データの消去を前記記録再生装置に指示する指示手段と、
前記指示手段が消去を指示した楽曲データの楽曲特定情報と、前記消去手段により楽曲データが消去された記録媒体の媒体識別情報とに従って、前記テーブル記憶手段に記憶された管理テーブルを更新するテーブル更新手段と、を更に備えてもよい。
【００１３】
上記目的を達成するため、本発明の第３の観点に係るコントロール機器は、
着脱自在の記録媒体に楽曲データを記録する記録再生装置と所定のインタフェースを介して接続されるコントロール機器であって、
記録対象の楽曲データを前記記録再生装置に転送する転送手段と、
前記転送手段が転送した楽曲データを特定する楽曲特定情報を取得する取得手段と、
楽曲データが書き込まれた記録媒体を識別する媒体識別情報を、前記記録再生装置から受信する受信手段と、
前記取得手段が取得した楽曲特定情報と、前記受信手段が受信した媒体識別情報とに従って、楽曲データと記録媒体との関係を対応付ける管理テーブルを生成するテーブル生成手段と、
前記テーブル生成手段が生成した管理テーブルを記憶するテーブル記憶手段と、
前記テーブル記憶手段が記憶する管理テーブルの内容を表示する表示手段と、
を備えることを特徴とする。
【００１４】
上記のコントロール機器は、楽曲データの消去を前記記録再生装置に指示する指示手段と、
前記指示手段が消去を指示した楽曲データの楽曲特定情報と、前記記録再生装置にて楽曲データが消去された記録媒体の媒体識別情報とに従って、前記テーブル記憶手段に記憶された管理テーブルを更新するテーブル更新手段と、を更に備えてもよい。
【００１５】
上記目的を達成するため、本発明の第４の観点に係る管理方法は、
着脱自在の記録媒体に楽曲データを記録する記録再生装置と所定のインタフェースを介して接続されるコントロール機器における管理方法であって、
記録対象の楽曲データを記録再生装置に転送する転送ステップと、
前記転送ステップにて転送した楽曲データを特定する楽曲特定情報を取得する取得ステップと、
楽曲データが書き込まれた記録媒体を識別する媒体識別情報を、記録再生装置から受信する受信ステップと、
前記取得ステップにて取得した楽曲特定情報と、前記受信ステップにて受信した媒体識別情報とに従って、楽曲データと記録媒体との関係を対応付ける管理テーブルを生成するテーブル生成ステップと、
前記テーブル生成ステップにて生成された管理テーブルを所定の記憶部に格納するテーブル格納ステップと、
前記テーブル格納ステップにて記憶部に格納された管理テーブルの内容を、所定の表示部に表示する表示ステップと、
を備えることを特徴とする。
【００１６】
上記の管理方法は、楽曲データの消去を記録再生装置に指示する指示ステップと、
前記指示ステップにて消去を指示した楽曲データの楽曲特定情報と、記録再生装置にて消去された記録媒体の媒体識別情報とに従って、前記テーブル格納ステップにて格納された管理テーブルを更新するテーブル更新ステップと、を更に備えてもよい。
【００１７】
【発明の実施の形態】
本発明の実施の形態にかかる記録再生システム（オーディオシステム）について、以下図面を参照して説明する。
【００１８】
図１は、この発明の実施の形態に適用される記録再生システムの構成の一例を示すブロック図である。図示するように、このシステムは、記録再生装置１と、パソコン３とが、ＵＳＢケーブルＣを介して接続されて構成される。
【００１９】
記録再生装置１は、「ＮｅｔＭＤ（登録商標）」規格に対応したオーディオ機器であり、図示するように、セキュリティ回路１１と、ディジタル信号処理回路１２と、ヘッドドライバ１３と、記録ヘッド１４と、スピンドルモータ１５と、光ピックアップ１６と、送りモータ１７と、ＲＦアンプ１８と、バッファメモリ１９と、システムコントローラ２０と、操作部２１と、表示パネル２２と、から構成される。
【００２０】
すなわち、記録再生装置１は、ＮｅｔＭＤ規格に準じて、チェックアウト時に、パソコン３から楽曲データ（コンテンツ）を、ディスクｄ（ＭＤ；ミニディスク）に記録する。また、チェックイン時に、ディスクｄに記録した楽曲データを、パソコン３に戻す（実際には、コンテンツハッシュを返信すると共に楽曲データをディスクｄから削除する）。
【００２１】
なお、ディスクｄには、ＵＴＯＣ（User Table Of Contents）エリアとプログラムエリアが設けられている。そして、ＵＴＯＣエリアには、ディスクｄに記録される楽曲データを管理するための情報であるＵＴＯＣ情報が記憶される。また、プログラムエリアには、楽曲データが書き込まれる。
【００２２】
セキュリティ回路１１は、ＵＳＢケーブルＣを介してパソコン３との間で通信を行うためのＵＳＢインタフェースを備えており、ディジタル信号処理回路１２及びシステムコントローラ２０と、パソコン３との間にて送受信されるデータを中継する。
例えば、セキュリティ回路１１は、パソコン３からコントロール転送にて送信される制御データの抽出を行い、システムコントローラ２０に送信する。また逆に、システムコントローラ２０から送信される制御データをパソコン３に向けて送信する。
また、セキュリティ回路１１は、パソコン３からバルク転送にて送信される楽曲データ（暗号化されたＡＴＲＡＣ３データやＰＣＭデータ等）の抽出及び、復号を行う。そして、復号後の楽曲データをディジタル信号処理回路１２に送信する。
【００２３】
ディジタル信号処理回路１２は、ＡＤＩＰ（ADdress In Pre-groove）デコーダ、ＥＦＭ（Eight to Fourteen Modulation）デコーダ、ショックプルーフメモリコントローラ、ＡＴＲＡＣ（Adaptive TRansform Acoustic Coding）用エンコーダ・デコーダ、及び、サーボ制御部として動作する。
具体的にディジタル信号処理回路１２は、システムコントローラ２０等に制御され、スピンドルモータ１５、光ピックアップ１６、送りモータ１７及び、ヘッドドライバ１３等を制御する。
例えば、チェックアウト時に、ディジタル信号処理回路１２は、セキュリティ回路（ＵＳＢインタフェース）１１を介してパソコン３から転送される楽曲データを取得し、バッファメモリ１９に一時的に格納する。そして、バッファメモリ１９に格納した楽曲データを、ヘッドドライバ１３等を制御してディスクｄに記録する。
【００２４】
ヘッドドライバ１３は、記録ヘッド１４を制御して、ディスクｄのプログラムエリアに楽曲データを書き込む。また、ヘッドドライバ１３は、ＵＴＯＣエリアにＵＴＯＣ情報を書き込む。
【００２５】
スピンドルモータ１５は、ディスクｄを搭載する図示せぬターンテーブルを回転駆動させる。
光ピックアップ１６は、楽曲データの再生時に、所定の波長のレーザ光をディスクｄの記録面に向けて照射し、その反射光を受けて電気信号に変換する。そして、変換した電気信号をＲＦアンプ１８に供給する。
また、光ピックアップ１６は、楽曲データの記録時に、レーザ光をディスクｄの記録面に向けて照射し、キュリー点以上になるまで加熱する。
送りモータ１７は、ディジタル信号処理回路１２に制御され、光ピックアップ１６をディスクｄの所定位置に移動させる。
【００２６】
ＲＦアンプ１８は、光ピックアップ１６より供給された電気信号からＲＦ信号、フォーカスエラー信号及び、トラッキングエラー信号等を生成する。ＲＦアンプ１８は、生成したＲＦ信号等をディジタル信号処理回路１２等に供給する。
また、ＲＦアンプ１８は、グルーブ情報（光磁気ディスクにプリグルーブとして記録されている絶対位置情報＝ＡＤＩＰ）等を抽出する。
バッファメモリ１９は、チェックアウト時や再生時等において、所定容量の楽曲データを一時的に記憶する。
【００２７】
システムコントローラ２０は、１チップマイコン等からなり、ディジタル信号処理回路１２等を制御する。
具体的にシステムコントローラ２０は、ディジタル信号処理回路１２に対して、ディスクｄのアドレスサーチの指示、光ピックアップ１６の制御指示、ＡＴＲＡＣデコード開始の指示等を行う。また、ＡＤＩＰアドレス情報、ＥＦＭアドレス情報、バッファメモリ１９内のＡＴＲＡＣデータの書き込みポインタ、及び、読み出しポインタ等を取得する。
【００２８】
操作部２１は、例えば、複数のキースイッチ群からなり、利用者の操作（押下等）に従った指示情報をシステムコントローラ２０に供給する。
表示パネル２２は、液晶表示パネル等からなり、システムコントローラ２０から供給される表示用データに従って、記録再生装置１の動作状況を示す文字や図形等を表示する。
【００２９】
一方、パソコン３は、ＣＰＵ等の演算ユニット、メモリやハードディスク等の記憶素子、マウスやキーボード等の操作デバイス、ディスプレイ等の表示デバイス、そして、ＵＳＢインタフェース等を備えた汎用のパーソナルコンピュータからなる。なお、パソコン３は、ＵＳＢケーブルＣを介して記録再生装置１と着脱自在に接続されている。
そして、パソコン３は、ハードディスク等にインストールされたＯＳ（Operating System）に従って稼動し、そのＯＳ上にてＮｅｔＭＤ規格に対応したアプリケーションソフトウェアを実行する。
【００３０】
具体的にパソコン３は、ハードディスク内に、図２（ａ），（ｂ）に示すような管理テーブルを記憶し、ディスクｄ及び楽曲データを管理する。
図２（ａ）に示すディスク管理テーブル３１は、複数のディスクｄを管理するための管理テーブルであり、一例として、ディスクＩＤ、ディスクタイトル、トラック数、及び、記録時間等の情報が含まれている。
【００３１】
ディスクＩＤは、各ディスクｄを識別するためのユニークな識別情報である。また、ディスクタイトルは、各ディスクｄに登録されているディスクタイトルと同じ情報である。なお、図中において、「ＤＩＳＣ＿００１」や「ＤＩＳＣ＿００２」に示されるディスクタイトルは、ブランクディスクやディスクタイトルが登録されていないディスクｄに対して、パソコン３にて自動生成されたものを示している。
更に、トラック数は、各ディスクｄに記録されている楽曲データの曲数を示し、記録時間は、各ディスクｄに記録されている全楽曲データの合計時間を示している。
【００３２】
図２（ｂ）に示す楽曲管理テーブル３２は、パソコン３内に格納している楽曲データを管理するための管理テーブルであり、一例として、楽曲ＩＤ、楽曲名、演奏時間、チェックアウト残回数、及び、チェックアウト先等の情報からなる。なお、この他にも、パソコン３内における楽曲データのファイル名や格納フォルダ、そして、チェックアウト時に記録再生装置１から取得するコンテンツハッシュ等の情報も含まれている。
【００３３】
楽曲ＩＤは、各楽曲データを識別するためのユニークな識別情報である。
楽曲名は、各楽曲データに付けられた名称である。また、演奏時間は、各楽曲データの再生時間である。
更に、チェックアウト残回数は、チェックアウトの制限回数（初期値として、例えば、３回）が規定された各楽曲データにおける現在の残数を示している。そして、チェックアウト先は、チェックアウトを行ったディスクＩＤを示している。
つまり、この楽曲管理テーブル３２により、各楽曲データのチェックアウトの有無（残回数等）を管理すると共に、チェックアウトを行った楽曲データと、そのチェックアウト先のディスクｄとを対応付けている。
【００３４】
このような図２（ａ），（ｂ）に示す管理テーブルを記憶するパソコン３は、後述するチェックアウト処理を実行して、ハードディスクに予め記憶した楽曲データ（コンテンツ）を、記録再生装置１に転送し、ディスクｄに記録させる。また、後述するチェックイン処理を実行して、チェックアウトした楽曲データ（実際には、コンテンツハッシュ）を記録再生装置１から受け取り、記録再生装置１にその楽曲データを消去させる。
その際、パソコン３は、図２（ａ），（ｂ）に示す管理テーブルを適宜更新する。
【００３５】
以下、この発明の実施の形態にかかる記録再生システムの動作について、図面を参照して説明する。
【００３６】
最初に、図３等を参照して、パソコン３から記録再生装置１に楽曲データがチェックアウトされる様子について説明する。図３は、パソコン３にて実行されるチェックアウト処理と、記録再生装置１にて実行される記録処理について説明するためのフローチャートである。
なお、図３に示す各処理は、記録再生装置１とパソコン３とがＵＳＢケーブルＣにて接続された状態で、パソコン３にてチェックアウト対象の楽曲データが選択された後に開始される。例えば、図４（ａ）に示すような、楽曲一覧がパソコンのディスプレイ等に表示され、利用者により、１以上の楽曲データが選択されて、チェックアウトが指示された後に開始される。また、記録再生装置１には、記録可能なディスクｄが装填されているものとする。
【００３７】
まず、パソコン３は、接続された記録再生装置１からディスク情報を受け取り、ディスク管理テーブル３１を検索する（ステップＳ１１）。例えば、記録再生装置１から、ディスクタイトル、トラック数及び、記録時間等からなるディスク情報を受信すると、パソコン３は、このディスク情報が図２（ａ）に示すディスク管理テーブル３１に含まれているかどうか、検索する。
【００３８】
パソコン３は、検索により、ディスク情報が未管理の状態であるか否かを判別する（ステップＳ１２）。なお、パソコン３は、記録再生装置１から受信したディスク情報がディスク管理テーブル３１に含まれていない場合に、未管理の状態であると判別する。
【００３９】
パソコン３は、ディスク情報が未管理の状態でない（ディスク管理テーブル３１に含まれていた）と判別すると、後述するステップＳ１６に処理を進める。
一方、未管理の状態であると判別した場合に、パソコン３は、ディスク情報中に、ディスクタイトルが設定されているか否かを判別する（ステップＳ１３）。
【００４０】
パソコン３は、ディスク情報中にディスクタイトルが設定されていると判別すると、後述するステップＳ１５に処理を進める。
一方、ディスクタイトルが設定されていないと判別した場合に、パソコン３は、ディスクタイトルを自動生成する（ステップＳ１４）。例えば、パソコン３は、「ＤＩＳＣ＿ｎｎｎ」（ｎｎｎは、連番の数字）というユニークなディスクタイトルを生成する。
【００４１】
そして、パソコン３は、ディスク情報をディスク管理テーブル３１に追加する（ステップＳ１５）。その際、パソコン３は、ディスクｄを識別するためのユニークなディスクＩＤを生成して付加するものとする。
【００４２】
パソコン３は、対象の楽曲データを記録再生装置１に送信する（ステップＳ１６）。つまり、パソコン３は、利用者に指定された楽曲データをハードディスクから読み出し、ＵＳＢケーブルＣを介して記録再生装置１に転送する。
【００４３】
これに対して、記録再生装置１は、楽曲データの受信待ちを行っており（ステップＳ２１）。楽曲データを受信すると、受信した楽曲データをディスクｄに書き込む（ステップＳ２２）。
記録再生装置１は、ハッシュデータを生成し、パソコン３に送信する（ステップＳ２３）。つまり、記録再生装置１は、ディスクｄに書き込んだ楽曲データ等からハッシュデータを生成し、ＵＳＢケーブルＣを介してパソコン３に送信する。
そして、記録再生装置１は、更新後のディスク情報をパソコン３から要求されるまで待機する（ステップＳ２４）。
【００４４】
パソコン３は、記録再生装置１からハッシュデータを受け取ると、楽曲管理テーブル３２を更新する（ステップＳ１７）。
例えば、パソコン３は、図４（ｂ）に示すように、チェックアウトを行った楽曲データのチェックアウト残回数を１だけ減算し、また、チェックアウト先に、ディスクｄのディスクＩＤ（ディスク管理テーブル３１から得る）をセットする。なお、パソコン３は、受信したハッシュデータも、楽曲管理テーブル３２にセットするものとする。
【００４５】
図３に戻って、パソコン３は、更新後のディスク情報を記録再生装置１に要求する（ステップＳ１８）。つまり、記録再生装置１にて、新たな楽曲データを記録することによりディスク情報が変化しているため、更新後のディスク情報を送信するように、記録再生装置１に要求する。
【００４６】
これに対して、記録再生装置１は、ディスク情報の要求ありと判別すると、現在のディスク情報を読み出し、パソコン３に送信する（ステップＳ２５）。
【００４７】
そして、パソコン３は、記録再生装置１から送られたディスク情報を受け取り、ディスク管理テーブル３１を更新する（ステップＳ１９）。
例えば、パソコン３は、図４（ｃ）に示すように、トラック数及び記録時間が変化した更新後のディスク情報の内容で、ディスク管理テーブル３１を更新する。
【００４８】
このように、上述したチェックアウト処理及び、記録処理によって、楽曲データがチェックアウトされ、パソコン３のディスク管理テーブル３１及び、楽曲管理テーブル３２が更新される。そして、楽曲管理テーブル３２には、チェックアウトを行った楽曲データと、そのチェックアウト先のディスクｄとが対応付けられる。
【００４９】
次に、図５等を参照して、記録再生装置１からパソコン３に楽曲データがチェックインされる様子について説明する。図５は、パソコン３にて実行されるチェックイン処理と、記録再生装置１にて実行される消去処理について説明するためのフローチャートである。
なお、図５に示す各処理は、記録再生装置１とパソコン３とがＵＳＢケーブルＣにて接続された状態で開始される。
【００５０】
まず、パソコン３は、楽曲管理テーブル３２を読み出し、楽曲一覧を生成する（ステップＳ３１）。
例えば、パソコン３は、図６（ａ）に示すように、楽曲名やチェックアウト残回数等が含まれる楽曲一覧を生成し、生成した楽曲一覧をディスプレイ等に表示する。
【００５１】
パソコン３は、詳細表示が指示されるまで待機し（ステップＳ３２）、利用者のマウス操作等により詳細表示が指示されると、ディスク管理テーブル３１を検索し、ディスク情報を表示する（ステップＳ３３）。
例えば、図６（ｂ）に示すように、楽曲データのチェックアウト先のディスク情報を表示する。
そして、記録再生装置１から送られるディスク情報等を受信するまで待機する（ステップＳ３４）。
【００５２】
これに対して、記録再生装置１は、ディスクｄが挿入されるまで待機し（ステップＳ５１）、ディスクｄが挿入されると、ディスク情報を読み出し、パソコン３に送信する（ステップＳ５２）。
続いて、記録再生装置１は、楽曲管理情報を読み出し、パソコン３に送信する（ステップＳ５３）。例えば、記録再生装置１は、楽曲名及び、演奏時間等が含まれる楽曲管理情報をディスクｄから読み出し、パソコン３に送信する、
そして、記録再生装置１は、パソコン３からチェックインが指示されるまで待機する（ステップＳ５４）。
【００５３】
パソコン３は、記録再生装置１から送られたディスク情報等が送られると、ディスク情報を受け取り、ディスク管理テーブル３１を検索する（ステップＳ３５）。
続いて、パソコン３は、記録再生装置１から送られた楽曲管理情報を受け取り、ディスクｄに記録されている楽曲一覧を生成する（ステップＳ３６）。
例えば、パソコン３は、図７（ａ）に示すような楽曲一覧を生成し、ディスプレイ等に表示する。
【００５４】
パソコン３は、楽曲が選択されるまで、待機する（ステップＳ３７）。例えば、利用者によるマウス操作により、図７（ａ）に示すチェックインの項目が１つ以上マークされ、チェックインを指示するボタン等がクリックされるまで待機する。
パソコン３は、チェックイン対象の楽曲データが選択されると、楽曲データのチェックインを記録再生装置１に指示する（ステップＳ３８）。
【００５５】
これに対して、記録再生装置１は、チェックインが指示されると、ハッシュデータを生成し、パソコン３に送信する（ステップＳ５５）。つまり、記録再生装置１は、ディスクｄに記録された楽曲データ（指示された楽曲データ）等からハッシュデータを生成し、パソコン３に送信する。
そして、記録再生成装置１は、パソコン３からの指示に従って、楽曲データを消去する（ステップＳ５６）。
その後、記録再生装置１は、更新後のディスク情報をパソコン３から要求されるまで待機する（ステップＳ５７）。
【００５６】
パソコン３は、記録再生装置１からハッシュデータを受け取ると、楽曲管理テーブル３２を更新する（ステップＳ３９）。
例えば、パソコン３は、図７（ｂ）に示すように、チェックインを行った楽曲データのチェックアウト残回数を１だけ加算し、また、チェックアウト先から対象のディスクＩＤを削除する。なお、パソコン３は、楽曲管理テーブル３２にて管理していたハッシュデータも消去するものとする。
【００５７】
図５に戻って、パソコン３は、更新後のディスク情報を記録再生装置１に要求する（ステップＳ４０）。つまり、記録再生装置１にて、楽曲データを消去することによりディスク情報が変化しているため、更新後のディスク情報を送信するように、記録再生装置１に要求する。
【００５８】
これに対して、記録再生装置１は、ディスク情報の要求ありと判別すると、現在のディスク情報を読み出し、パソコン３に送信する（ステップＳ５８）。
【００５９】
そして、パソコン３は、記録再生装置１から送られたディスク情報を受け取り、ディスク管理テーブル３１を更新する（ステップＳ４１）。
例えば、図７（ｃ）に示すように、トラック数及び記録時間が変化した更新後のディスク情報の内容で、ディスク管理テーブル３１を更新する。
【００６０】
このように、上述したチェックイン処理及び、消去処理によって、楽曲データのチェックインを容易に行うことができる。つまり、図６（ａ），（ｂ）に示すようなチェックアウトした楽曲一覧及び、チェックアウト先のディスク情報がパソコン３のディスプレイ等に表示される。このため、利用者は、チェックアウト先のディスクｄを容易に探し出すことができる。
そして、チェックインに伴い、ディスク管理テーブル３１及び、楽曲管理テーブル３２が適切に更新される。
【００６１】
この結果、上述した記録再生システムにおいて、楽曲データの記録先となる各ディスクｄを適切に管理することができる。
【００６２】
上記の実施の形態では、パソコン３とＮｅｔＭＤ規格に対応した記録再生装置１とを一例として説明し、ＭＤからなるディスクｄに楽曲データを記録する場合について説明したが、楽曲データ等を記録する対象の記録媒体は、ＭＤに限られず任意である。
例えば、他にＭＯ（Magneto-Optical disk）、ＤＶＤ−ＲＡＭ（Digital Versatile Disk-RAM）等の記録媒体に楽曲データを記録してもよく、また、スマートメディア（登録商標）、メモリステック（登録商標）等の記録媒体に楽曲データを記録してもよい。
更に、記録媒体に記録するデータは、楽曲データに限られず、他に映像データ等であってもよい。
【００６３】
また、上記の実施の形態では、記録再生装置１及びパソコン３がそれぞれＵＳＢインタフェースを備え、そして、記録再生装置１とパソコン３との間がＵＳＢケーブルＣを介して接続される記録再生システムについて説明した。しかしながら、記録再生装置１及びパソコン３が備えるインタフェースは、ＵＳＢに限られず任意である。例えば、ＩＥＥＥ１３９４等のようなインタフェースであってもよく、記録再生装置１とパソコン３との間がＩＥＥＥ１３９４ケーブルを介して接続されてもよい。
【００６４】
【発明の効果】
以上説明したように、本発明によれば、楽曲データの記録先を適切に管理することができる。
【図面の簡単な説明】
【図１】本発明の実施の形態に係る記録再生システムの構成の一例を示すブロック図である。
【図２】パソコンに記憶されるテーブルの一例を示す模式図であって、（ａ）がディスク管理テーブルであり、（ｂ）が楽曲管理テーブルである。
【図３】本発明の実施の形態に係るチェックアウト処理及び、記録処理を説明するためのフローチャートである。
【図４】（ａ）が楽曲一覧の一例を示す模式図であり、（ｂ）が楽曲管理テーブルの更新を説明するための模式図であり、（ｃ）がディスク管理テーブルの更新を説明するための模式図である。
【図５】本発明の実施の形態に係るチェックイン処理及び、消去処理を説明するためのフローチャートである。
【図６】（ａ）が楽曲一覧の一例を示す模式図であり、（ｂ）がチェックアウト先のディスク情報の一例を示す模式図である。
【図７】（ａ）がディスクの楽曲一覧の一例を示す模式図であり、（ｂ）が楽曲管理テーブルの更新を説明するための模式図であり、（ｃ）がディスク管理テーブルの更新を説明するための模式図である。
【符号の説明】
１    記録再生装置
３    パソコン
１１  セキュリティ回路
１２  ディジタル信号処理回路
１３  ヘッドドライバ
１４  記録ヘッド
１５  スピンドルモータ
１６  光ピックアップ
１７  送りモータ
１８  ＲＦアンプ
１９  バッファメモリ
２０  システムコントローラ
２１  操作部
２２  表示パネル
【図１】
2004199792.tif 000003
【図２】
2004199792.tif 000004
【図３】
2004199792.tif 000005
【図４】
2004199792.tif 000006
【図５】
2004199792.tif 000007
【図６】
2004199792.tif 000008
【図７】
2004199792.tif 000009